(57)【要約】【課題】  コネクタに弾性ラッチ部材を提供することにより、該コネクタと嵌合コネクタとの完全なラッチ効果が得られるコネクタのラッチ構造を提供すること。【解決手段】  弾性ラッチ部材２は基底部２１と弾性部２３とからなる一体型の構造である。該弾性部２３は押圧部２３１と複数の延長部２３２と留め金掛止部２３３とを有し、該基底部２１はコネクタの内側に固定される留め金部２２を有し、弾性部２３が移動可能な自由端となる。使用時においてプラスチックカバー４の操作部材４３を押すことにより延長部２３２及び留め金掛止部２３３が共に移動し、該留め金掛止部２３３の位置が変更される。【選択図】      図１
0003111256.tif 000002
【実用新案登録請求の範囲】
【請求項１】
ラッチ構造を備えたコネクタにおいて、前記コネクタは、
端子シートと、
前記端子シートを囲む金属ケースと、
前記端子シート及び前記金属ケースを囲むプラスチックカバーと、
前記端子シートの内側に固定される弾性ラッチ部材と、からなり、
前記端子シートの連結部は複数の掛止孔を有し、前記プラスチックカバーは操作部材を備え、前記弾性ラッチ部材の基底部は複数の留め金部を有し、前記基底部の前端は弾性部が延びており、前記弾性部は押圧部を有し、前記押圧部は複数の延長部を有し、前記延長部の各端部はラッチ用掛止部を有し、前記留め金部は前記端子シート内に押圧嵌合され、前記延長部は前記端子シート内に配置され、前記ラッチ用掛止部はそれぞれ対応する掛止孔から突出しており、前記操作部材は前記押圧部と当接しており、かつ前記操作部材が押された場合、前記弾性部の位置が弾性的に移動し、それにより前記押圧部が押圧されて前記延長部の位置を共に移動させるとともに前記ラッチ用掛止部を前記掛止孔内に収容されるコネクタ。
【請求項２】
前記端子シートの後端は複数の留め金スロット及び複数の挿入スロットを有し、前記留め金スロットは前記弾性ラッチ部材の留め金部と押圧嵌合され、かつ前記挿入スロットは前記弾性ラッチ部材の延長部を収容するように構成される請求項１に記載のラッチ構造を備えたコネクタ。
【請求項３】
前記金属ケースは上側ケースと下側ケースとを更に含み、前記上側ケースは前記弾性ラッチ部材の前記押圧部を貫通する孔を有する請求項１に記載のラッチ構造を備えたコネクタ。
【請求項４】
前記プラスチックカバーは前側カバーと後側カバーを更に含み、かつ前記前側カバー及び前記後側カバーは前記操作部材を収容するために切り欠き部により形成された保持部材を有する請求項１に記載のラッチ構造を備えたコネクタ。
【請求項５】
前記操作部材は複数の摺動片を有し、かつ前記プラスチックカバーは複数の摺動レールを有し、それにより、前記操作部材は、前記摺動レールが提供される方向に沿って押される請求項１に記載のラッチ構造を備えたコネクタ。
【請求項６】
コネクタのラッチ構造体において、前記ラッチ構造体は嵌合コネクタを留めるために前記コネクタにおいて使用される弾性ラッチ部材を備え、
前記弾性ラッチ部材は、複数の留め金部を有する基底部と弾性部とからなり、
前記基底部の前端は前記弾性部を連結するために延びており、前記弾性部は押圧部を有し、前記押圧部は複数の延長部を備えるとともに該延長部に連結されており、各延長部は留め金掛止部を有し、前記留め金部は前記コネクタの内部にて固定され、それにより前記弾性部が移動可能な自由端となり、かつ前記延長部及び前記留め金掛止部は前記押圧部を押圧することにより共に移動し、それにより前記留め金掛止部の位置が変更されるラッチ構造体。
【考案の詳細な説明】
【技術分野】
【０００１】
本考案は、コネクタのラッチ構造に関し、より詳細には、操作部材を押して弾性ラッチ部材を移動させるラッチ構造に関する。
【背景技術】
【０００２】
技術の進歩により、電子関連製品は日々最新のものとなり、伝送インターフェースの進歩がめざましいものであったとしても、新たな種々の技術が電子関連製品の全ての分野において適用されている。近年、ユニバーサル・シリアル・バス（ＵＳＢ）、デジタル・ビデオ・インターフェース（ＤＶＩ）及び高解像度マルチメディア・インターフェース（ＨＤＭＩ）などの種々の伝送インターフェースが連続的に公知のものとなってきており、これらのインターフェースに採用されるコネクタ製品もまた常に出現している。上述の種々のコネクタは、伝送速度及び容量の多様性に加え、使用時に接続を遮断させることは好ましくないという理由から、接続安定性を増大させるべく、接続安定効果に関しては厳密である必要がある。連結部においてラッチ用掛止部を備えたコネクタは、例えば、台湾特許出願第９３２０５４５８号に開示されている。該特許出願は、ＨＤＭＩコネクタを開示しており、該ＨＤＭＩコネクタは、絶縁ハウジングＡ、押圧ストリップＢ、プラスチック製保護カバーＣ、ラッチ部材Ｄ及び嵌合外側シェルＥ等からなる。絶縁ハウジングＡはラッチ部材Ｄを保持し、かつ固定するための貫通スロット及び固定スロットを有する。ラッチ部材Ｄは押圧ストリップＢにより固定され、プラスチック製保護カバーＣの上面にはバネ片Ｃ１が設けられており、嵌合外側シェルＥの上面の二つの側部の各々は貫通孔Ｅ１を有する。バネ片Ｃ１はラッチ部材Ｄの本体の突出部Ｄ１に当接させるべく下方に押され、次いで、該ラッチ部材Ｄは貫通孔Ｅ１にバーブＤ２が収容されるように下方へ移動され、それによりコネクタの差し込み及び抜き外し動作を制御する。
【０００３】
実際に、上述の構造は、コネクタの使用時に安定性が得られるという利点を有するが、ラッチ部材が二片の構造体から構成されており、それらを機能させるためには両方を同時に下方に押す必要があるので、ラッチ部材本体の突出部に当接しているバネ片を同時に押すために比較的強い応力を必要とする。また、二つの突出部の接触面が非常に小さくて、バネ片が容易に摩耗するので、該バネ片が摩耗した後には所定の機能を得るために更に強い応力を必要とする。更に、二つのラッチ部材を合わせて下方に押すためにはバネ片の中央に応力を加える必要があり、仮に該応力が左側または右側に傾いた場合、一方のラッチ部材は下方に押されるが、他方のラッチ部材は完全には下方に押されていない状態となり、使用時において不都合を招く。
【考案の開示】
【考案が解決しようとする課題】
【０００４】
本考案の目的は、操作部材を押して弾性ラッチ部材を移動させるコネクタのラッチ構造を提供することにある。
【０００５】
本考案の別の目的は、コネクタの連結部の二つの側におけるそれぞれのラッチ用掛止部において一方の側では下方に押されているが他方の側では完全に下方に押されていないという状態を回避して、ラッチ用掛止部が同時に移動することを確実にするために、一体化した弾性ラッチ部材を有するコネクタのラッチ構造を提供することにある。
【課題を解決するための手段】
【０００６】
上記の課題を解決するために、請求項１に記載のラッチ構造を備えたコネクタは、端子シートと、金属ケースと、プラスチックカバーと弾性ラッチ部材とからなる。金属ケースは端子シートを囲み、プラスチックカバーは端子シート及び金属ケースを囲み、弾性ラッチ部材の基底部は複数の留め金部を有し、該基底部の前端部は弾性部に延びており、該弾性部は押圧部を有し、該押圧部は複数の延長部を有し、該延長部の各々の端部はラッチ用掛止部を有し、上述の留め金部は端子シート内に押圧嵌合されており、かつ該延長部は端子シート内に配置されている。
【０００７】
端子シートの後端部は複数の留め金スロットと挿入スロットとを有し、該留め金スロットはラッチ部材の留め金部を押圧嵌合するように形成されており、挿入スロットは弾性ラッチ部材の延長部を保持するように形成されている。該端子シートの前端部は連結部を有し、該連結部は複数の掛止孔を有し、上述のラッチ用掛止部は対応する掛止孔からそれぞれ突出している。プラスチックカバーは操作部材を備え、該操作部材は押圧部に対して当接しており、該操作部材が押されると、弾性部が弾性的に位置を移動して延長部を同時に移動させ、かつ該押圧部が押圧されることにより掛止孔内にラッチ用掛止部が収容される。
【０００８】
請求項２に記載の考案では、請求項１に記載のラッチ構造を備えたコネクタにおいて、前記端子シートの後端は複数の留め金スロット及び複数の挿入スロットを有し、前記留め金スロットは前記弾性ラッチ部材の留め金部と押圧嵌合され、かつ前記挿入スロットは前記弾性ラッチ部材の延長部を収容するように構成されることを要旨とする。
【０００９】
請求項３に記載の考案では、請求項１に記載のラッチ構造を備えたコネクタにおいて、前記金属ケースは上側ケースと下側ケースとを更に含み、前記上側ケースは前記弾性ラッチ部材の前記押圧部を貫通する孔を有することを要旨とする。
【００１０】
請求項４に記載の考案では、請求項１に記載のラッチ構造を備えたコネクタにおいて、前記プラスチックカバーは前側カバーと後側カバーを更に含み、かつ前記前側カバー及び前記後側カバーは前記操作部材を収容するために切り欠き部により形成された保持部材を有することを要旨とする。
【００１１】
請求項５に記載の考案では、請求項１に記載のラッチ構造を備えたコネクタにおいて、前記操作部材は複数の摺動片を有し、かつ前記プラスチックカバーは複数の摺動レールを有し、それにより、前記操作部材は、前記摺動レールが提供される方向に沿って押されることを要旨とする。
【００１２】
請求項６に記載のコネクタのラッチ構造体は、嵌合コネクタを留めるために前記コネクタにおいて使用される弾性ラッチ部材を備え、前記弾性ラッチ部材は、複数の留め金部を有する基底部と弾性部とからなり、前記基底部の前端は前記弾性部を連結するために延びており、前記弾性部は押圧部を有し、前記押圧部は複数の延長部を備えるとともに該延長部に連結されており、各延長部は留め金掛止部を有し、前記留め金部は前記コネクタの内部にて固定され、それにより前記弾性部が移動可能な自由端となり、かつ前記延長部及び前記留め金掛止部は前記押圧部を押圧することにより共に移動し、それにより前記留め金掛止部の位置が変更される。
【考案の効果】
【００１３】
以上詳述したように、本考案によれば、コネクタと該コネクタに嵌合するコネクタとの確実な掛止が達成されるラッチ構造を備えたコネクタを提供することができる。
【考案を実施するための最良の形態】
【００１４】
本考案の構造的及び技術的な特徴が当業者とってより明確となるように、好ましい実施形態の詳細な説明を添付した図面とともに以下に記載する。
【００１５】
図１乃至３には、本考案の好ましい実施形態の分解図及び組立図が示されている。本考案において、ラッチ構造を備えたコネクタは、端子シート１と、金属ケース３と、プラスチックカバー４と、弾性ラッチ部材２とからなり、該金属ケース３は端子シート１を囲み、該プラスチックカバー４は端子シート１と金属ケース３とを囲み、かつ弾性ラッチ部材２は端子シート１の内側に固定される。
【００１６】
図４を参照すると、本考案の実施形態において、弾性部材２の基底部２１の二つの側部の各々は留め金部２２を提供するために下側に曲げられており、該基底部２１の前端部は弾性部２３と連結するように延びており、該弾性部２３は上側に突出する押圧部２３１を有し、押圧部２３１から弾性部の二つの側部の各々は、前方に伸びる延長部２３２をそれぞれ有しており、かつ該延長部２３２の先端は留め金掛止部２３３を有している。該留め金掛止部２３３及び該延長部２３２は該弾性部２３の自由端に接続されており、該留め金掛止部２３３及び該延長部２３２は、弾性部２３の押圧部２３１が圧力を受けた場合、該押圧部２３１に沿って共に位置が移動される。
【００１７】
次に図５を参照すると、端子シート１の後端は複数の留め金スロット１２及び挿入スロット１３を有し、複数の留め金スロット１２は弾性ラッチ部材２の対応する複数の留め金部２２に押圧嵌合するように構成されており、該複数の挿入スロット１３は該弾性ラッチ部材２の対応する複数の延長部２３２を含むように構成され、連結部１１は複数の掛止孔１１１を有し、かつ上述の留め金掛止部２３３が対応する掛止孔１１１からそれぞれ突出する。
【００１８】
図１を再び参照すると、金属ケース３は上側ケース３１と下側ケース３２とを更に含み、該上側ケース３１は孔３１１を有するとともに該孔３１１は弾性ラッチ部材２の押圧部２３１が貫通するように構成されている。プラスチックカバー４は操作部材４３を備えており、該プラスチックカバー４は更に前側カバー４１と後側カバー４２とを含み、該前側カバー４１及び後側カバー４２は操作部材４３を収容するために切り欠き部４１１及び４２１により形成された保持チャンバを備えている。該操作部材４３は本実施形態においては複数の摺動片４３１を備えており、該摺動片４３１は操作部材４３の左側及び右側に配置されている。プラスチックカバー４は摺動片４３１に対応する切り欠き部４１１，４２１により形成された保持チャンバの側壁上に複数の摺動レール４４を有し、摺動レール４４が設けられる方向に沿って該操作部材４３を押すことを可能にする。本実施形態において、摺動レール４４は水平に設けられており、即ち、プラスチックカバー４の切り欠き部４１１，４２１により形成された保持チャンバの内側にて該操作部材４３を水平状態にて前後に移動させることが可能である。
【００１９】
更に、図６及び７には、本考案の実施形態の使用時の断面図が示されている。押圧部２３１は操作部材４３に対して当接している。操作部材４３を押した場合、弾性部２３の位置が弾性的に下方へ移動し、それにより押圧部２３１が押圧され、延長部２３２の位置が同時に下方へ移動し、留め金掛止部２３３が掛止孔１１１内に入り込む。
【００２０】
本考案において、操作部材４３はまたプレスダウン様式にて設計されており、押圧部２３１の水平位置を変更するために該操作部材４３を下方へ押圧することにより本考案の目的を達成することができる。
【００２１】
コネクタ及び該コネクタの嵌合コネクタが連結した状態である場合、留め金掛止部２３３は掛止孔１１１から突出した状態となっており、該コネクタ及び嵌合コネクタの確実な連結を形成し、該コネクタを差し込む又は抜き外す場合、操作部材４３は押され、該コネクタが嵌合コネクタから容易に抜き外されるか、又は該嵌合コネクタに差し込まれるように、留め金掛止部２３３が掛止孔１１１内に入り込む。
【００２２】
本考案に開示された実施形態の構造は例示のみのものであり、本考案の範囲を限定するものではない。本考案の精神を逸脱することなく、本考案の記載を考慮して当業者によって行われる任意の変更及び修正もまた、本考案の構造と同様であると見なされるとともに、本考案の請求の範囲に包含されるものである。
【図面の簡単な説明】
【００２３】
【図１】本考案の好ましい実施形態の分解斜視図である。
【図２】本考案の好ましい実施形態の組立斜視図である。
【図３】本考案の好ましい実施形態の部分的な組立図である。
【図４】本考案の好ましい実施形態における弾性ラッチ部材の斜視図である。
【図５】本考案の好ましい実施形態における端子シートの斜視図である。
【図６】本考案の好ましい実施形態の使用時の断面図である。
【図７】本考案の好ましい実施形態の別の使用時の断面図である。
【図８】ラッチ構造を備えた既存のコネクタの分解斜視図である。
【符号の説明】
【００２４】
１…端子シート、２…弾性ラッチ部材、３…金属ケース、４…プラスチックカバー、１１…連結部、１２…留め金スロット、１３…挿入スロット、２１…基底部、２２…留め金部、２３…弾性部、３１…上側ケース、３２…下側ケース、４１…前側カバー、４２…後側カバー、４３…操作部材、４４…摺動レール、１１１…掛止孔、２３１…押圧部、２３２…延長部、２３３…留め金掛止部、３１１…孔、４１１，４２１…切り欠き部、４３１…摺動片。
【図１】
0003111256.tif 000003
【図２】
0003111256.tif 000004
【図３】
0003111256.tif 000005
【図４】
0003111256.tif 000006
【図５】
0003111256.tif 000007
【図６】
0003111256.tif 000008
【図７】
0003111256.tif 000009
【図８】
0003111256.tif 000010